(57)【要約】【課題】乾拭き用の清掃シートを簡単な操作で水拭き用の清掃シートに変更することができる掃除用具を提供する。【解決手段】清掃シート１６が着脱自在に取り付けられる清掃部１１と、清掃部１１に取り付けられた棒状の把手部１２とを具備している掃除用具１０において、清掃部１１に、清掃シート１６の加湿用の水（液体）を供給する液体供給手段２４を設けたので、乾拭き用の清掃シート１６を簡単な操作で水拭き用の清掃シート１６に変更することができる。【選択図】        図１
2004329586.tif 000002
【特許請求の範囲】
【請求項１】
清掃シートが着脱自在に取り付けられる清掃部と、該清掃部に取り付けられた棒状の把手部とを具備している掃除用具において、
上記清掃部に、上記清掃シートの加湿用の液体を供給する液体供給手段を設けた掃除用具。
【請求項２】
上記液体が、水または清掃用水系液体である請求項１に記載の掃除用具。
【請求項３】
上記液体供給手段が、上記把手部に設けられた液体の貯液タンクと、該貯液タンク内の液体を、上記清掃部に設けられた清掃シート加湿用ノズルに供給する液体流路とを有した請求項１または請求項２に記載の掃除用具。
【請求項４】
上記把手部は管体で、該把手部の管内に液体流路が形成された請求項３に記載の掃除用具。
【請求項５】
上記把手部が、該把手部をその長さ方向に分割する複数本の管状柄部により構成され、隣接する該管状柄部間には、管継手が設けられた請求項４に記載の掃除用具。
【発明の詳細な説明】
【０００１】
【発明の属する技術分野】
本発明は、一般家庭用、あるいは、業務用の掃除用具、より詳しくは清掃シートをドライ（乾燥）状態とウエット（加湿）状態の両方で使用することができる掃除用具に関するものである。
【０００２】
【従来の技術】
図４に示すように、従来の掃除用具１００として、清掃部１０１と、この清掃部１０１に連結された棒状の把手部１０２とを具備し、清掃部１０１には、清掃シート１０３の四隅付近を掛止して保持する合計４個のシート保持部１０４が配設されたものが知られている（例えば、特許文献１参照）。シート保持部１０４とは、清掃部１０１の四隅付近に埋設されたゴム片に、清掃シート１０３を挿入するスリットが形成されたものである。清掃部１０１と把手部１０２との間には、自在継手１０５が設けられている。市販される清掃シート１０３の種類としては、床を乾拭きするドライ用シートと、床を水拭きするウエット用シートとが存在する。
【０００３】
【特許文献１】
特開平１０−２８６２０６号公報（第３頁、図４）
【０００４】
しかしながら、従来の掃除具によれば、清掃シート１０３を購入する場合、床面の汚れの状況に応じて、乾拭きまたは水拭きを選択できるように、ドライ用の清掃シート１０３と、ウエット用の清掃シート１０３という２種類のシートを揃える必要があった。そのため、掃除用具１００のランニングコストが嵩むとともに、その交換作業が面倒であった。
【０００５】
【発明が解決しようとする課題】
この発明は、このような問題を克服するためになされたものであり、乾拭き用の清掃シートを簡単な操作で水拭き用の清掃シートに変更することができる掃除用具を提供することを目的とするものである。
【０００６】
【課題を解決するための手段】
請求項１に記載の発明は、清掃シートが着脱自在に取り付けられる清掃部と、該清掃部に取り付けられた棒状の把手部とを具備している掃除用具において、上記清掃部に、上記清掃シートの加湿用の液体を供給する液体供給手段を設けた掃除用具である。
【０００７】
清掃シートとしては、例えば、乾式不織布、湿式不織布、スパンポンド不織布、エアレイド法による不織布などを採用することができる。特に、エアレイド法で製造された不織布は、不織布を形成している繊維が、不織布の長手方向、幅方向および厚み方向にランダムに３次元配向されているので好ましい。
不織布は、単層構造でもよいが、二層以上の多層構造でもよい。また、不織布の目付けは３０〜８０ｇ／ｍ２、好ましくは３５〜６５ｇ／ｍ２である。３０ｇ／ｍ２未満では破れやすく、しかも塵などの捕捉力が劣る。一方、目付けが８０ｇ／ｍ２を超えると、塵などの捕捉力は高まるが、硬い風合いで、取扱い性に欠けるばかりか不経済な面も有している。不織布の繊維素材としては、コットン、レーヨン、パルプ、ポリオレフィン、ポリエステル等を単独、又は混合で適用することが出来る。
清掃シートには、例えばワックスなどの薬剤を、予め含浸させておいてもよい。
【０００８】
清掃部の素材、形状、大きさは限定されない。清掃シートを清掃部に着脱自在に取り付ける方法は限定されない。例えば、清掃シートの四隅付近を掛止して保持する従来と同じようなシート保持部を採用してもよい。
把手部は、１本の管体でもよい。また、中実の棒体でもよい。
液体の種類は限定されない。
液体供給手段としては、例えば清掃部または把手部に設けられた液体の貯液タンクと、この貯液タンク内の液体を、清掃部に設けられた清掃シート加湿用ノズルに供給する液体流路とを有したものを採用することができる。
【０００９】
また、請求項２に記載の発明は、上記液体が水または清掃用水系液体である請求項１に記載の掃除用具である。
この水に添加する薬剤としては、例えば各種の界面活性剤、アルカリ電解水、抗菌剤、防黴剤、消臭剤、芳香剤、アルコール、ワックス、などを必要に応じて採用することができる。
【００１０】
請求項３に記載の発明は、上記液体供給手段が、上記把手部に設けられた液体の貯液タンクと、該貯液タンク内の液体を、上記清掃部に設けられた清掃シート加湿用ノズルに供給する液体流路とを有した請求項１または請求項２に記載の掃除用具である。
貯液タンクは、把手部の先端部であって、使用者が握るグリップ部に設けてもよい。液体流路は、把手部の内部または外部に取り付けることができる。液体流路の本数は１本でもよいし、２本以上でもよい。
【００１１】
請求項４に記載の発明は、上記把手部は管体で、該把手部の管内に液体流路が形成された請求項３に記載の掃除用具である。
【００１２】
請求項５に記載の発明は、上記把手部が、該把手部をその長さ方向に分割する複数本の管状柄部により構成され、隣接する該管状柄部間には、管継手が設けられた請求項４に記載の掃除用具である。
管状柄部の本数は複数本であれば限定されない。
管継手の種類は限定されない。例えば、小径部と大径部とをパッキンを介して着脱自在とする方法などを採用することができる。
【００１３】
この請求項１に記載の発明によれば、清掃部に、清掃シートの加湿用の液体を供給する液体供給手段を設けたので、乾拭き用の清掃シートを掃除部に取り付けておけば、床などを水拭きしたいときに、液体供給手段を利用して清掃シートに液体を供給する。これにより、乾拭き用の清掃シートを任意に水拭き用のウエット用シートに変更することができる。これにより、掃除用具のランニングコストを低減することができるとともに、乾拭き用のシートを水拭き用のシートに交換する作業を省略することができる。
【００１４】
特に、請求項３〜請求項５に記載の発明によれば、液体のシート供給時には、液体流路を介して、把手部に設けた貯液タンクから清掃部の清掃シート加湿用ノズルを通して、液体を清掃シートに供給する。
このうち、請求項４の発明の場合には、把手部内の液体流路を通して、清掃シート加湿用ノズルに液体が供給される。そのため、把手部とは別に液体流路用の管体を配設する必要がない。これにより、掃除用具のコスト低減を図ることができる。しかも、請求項５の発明の場合には、把手部が複数本の管状柄部により構成され、隣接する管状柄部間に管継手を設けたので、分割式の把手部を有する掃除用具であっても、管状柄部間から流体が漏れるおそれがない。
【００１５】
【発明の実施の形態】
以下、本発明の実施の形態を図面を用いて説明する。
図１〜図３において、１０はこの発明の一実施例に係る掃除用具１０で、この掃除用具１０は、平面視して矩形状の平板である清掃部１１と、この清掃部１１に取り付けられた棒状の把手部１２とを具備している。なお、１３は、把手部１２を清掃部１１に取り付ける自在継手である。
清掃部１１は、平面視して矩形状を有したプラスチック製の本体基板１４と、本体基板１４の底面に固着され、本体基板１４よりも若干大判なゴム製の底板１５とを有している。本体基板１４の四隅付近の上面には、清掃シート１６の四隅付近を掛止する合計４個のシート保持部１７がそれぞれ埋め込まれている。各シート保持部１７はゴム片１７ａを本体とし、ゴム片１７ａの略全域に清掃シート１６の掛止用のスリットが形成されている。
清掃シート１６としては、エアレイド法による単層構造の不織布を採用している。不織布の目付けは、３０〜８０ｇ／ｍ２である。清掃シート１６には、予め粉末形状のワックスが含浸されている。
【００１６】
把手部１２は、５本の管状柄部１８によって構成されている。このうち、最も先側の管状柄部１８は、使用者が握るプラスチック製のグリップ部１８Ａとなっている。また、最も元側の管状柄部１８は、自在継手１３の把手部１２側と一体形成されている。他の３本の管状柄部１８は、アルミニウム製の管体である。隣接する管状柄部１８どうしは、パッキンＰを有する管継手１９により連通されている。なお、把手部１２の管内に、後述する液体流路専用の細管を挿入してもよい。この場合、管状柄部１８の長さに合わせ、細管をその長さ方向に向かって複数の部分細管に分割する必要がある。
グリップ部１８Ａは、他の管状柄部１８に比べて大径な中空体で、内部に水（液体）を貯液可能な貯液タンクとなっている。グリップ部１８Ａの先端部（上部）には、給水用のキャップ１８ａが螺着されている。一方、グリップ部１８Ａの元部には、水の供給量を調整する絞り弁２０が取り付けられている。
【００１７】
最も元側の管状柄部１８には、その先端部の両側部に、伸縮可能な軟質塩化ビニル系樹脂やメタロセン系触媒で重合された軟質ポリエチレンなどの軟質合成樹脂からなる１対のホース２１がそれぞれ突設されている。なお、ホース２１は、一対に限定されるものではない。このように、両ホース２１は伸縮自在であるので、自在継手１３により３次元的に回動する把手部１２の動きに、十分に追従できる。各枝管の先端部は、上記本体基板１４の長さ方向の両端部に収納された１対の清掃シート加湿用ノズル２２の元部に、それぞれ連通されている。各清掃シート加湿用ノズル２２の先端の液吐出口は、上記底板１５の底面と高さを揃えている。各管状柄部１８の内部空間と、１対のホース２１とにより、グリップ部１８Ａ内の水を清掃シート加湿用ノズル２２に供給する液体流路２３が構成される。また、これらのグリップ部１８Ａ、管継手１９、液体流路２３、清掃シート加湿用ノズル２２および絞り弁２０により、清掃シート１６に加湿用の水を供給する液体供給手段２４が構成される。
【００１８】
次に、この掃除用具１０の使用方法について説明する。
図１〜図３に示すように、絞り弁２０を締めてキャップ１８ａを外し、グリップ部１８Ａの内部空間に所定量の水を貯液する。また、乾拭き用の清掃シート１６の四隅付近を４個のシート保持部１７にそれぞれ掛止し、清掃部１１の底面に展張状態で清掃シート１６を着脱自在に展張する。
床の乾拭き時にはグリップ部１８Ａを握り、把手部１２を所定方向に押し引きしながら、通常の使用方法によって床を乾拭きする。
次に、床などを水拭きしたい場合には、絞り弁２０を開ける。これにより、グリップ部１８Ａ内の水が、管状柄部１８の内部空間、１対のホース２１および清掃シート加湿用ノズル２２を通して、清掃シート１６の長さ方向の両端部に徐々に供給される。供給された水により、予め清掃シート１６に含浸された粉末のワックスが溶け、良好な清掃用薬剤となって清掃シート１６の略全体に浸透する。
これにより、乾拭き用の清掃シート１６を任意に水拭き用のウエット用シートに変更することができる。その結果、掃除用具１０のランニングコストを低減することができるとともに、乾拭き用の清掃シート１６を水拭き用の清掃シート１６に交換する作業が省略できる。
【００１９】
また、水のシート供給時には、把手部１２内の液体流路２３を通して、清掃シート加湿用ノズル２２に液体が供給される。そのため、把手部１２とは別に液体流路２３用の管体を配設する必要がない。これにより、掃除用具１０のコスト低減を図ることができる。しかも、把手部１２が複数本の管状柄部１８により構成され、隣接する管状柄部１８間に管継手１９を設けたので、分割式の把手部１２を有する掃除用具１０であっても、管状柄部１８間から流体が漏れるおそれがない。
【００２０】
【発明の効果】
この請求項１に記載の発明によれば、清掃シートの加湿用の液体を供給する液体供給手段を清掃部に設けたので、床などを水拭きしたいときに、液体供給手段を利用して清掃シートに液体を供給することができる。これにより、乾拭き用の清掃シートを任意に水拭き用のウエット用シートに変更することができる。その結果、掃除用具のランニングコストを低減することができる。しかも、乾拭き用のシートを水拭き用のシートに交換する作業を省略できる。
【００２１】
特に、請求項４の発明によれば、把手部内の液体流路を通して、清掃シート加湿用ノズルに液体が供給されるように構成したので、把手部とは別に液体流路用の管体を配設する必要がない。その結果、掃除用具のコスト低減を図ることができる。
【００２２】
また、請求項５の発明によれば、把手部が複数本の管状柄部により構成され、隣接する管状柄部間に管継手を設けたので、分割式の把手部を有する掃除用具であっても、管状柄部間から流体が漏れるおそれがない。
【図面の簡単な説明】
【図１】この発明の一実施例に係る掃除用具の全体斜視図である。
【図２】この発明の一実施例に係る掃除用具の一構成部品である清掃部の拡大縦断面図である。
【図３】この発明の一実施例に係る掃除用具の一構成部品である把手部の要部拡大断面図である。
【図４】従来手段に係る掃除用具の要部斜視図である。
【符号の説明】
１０  掃除用具
１１  清掃部
１２  把手部
１６  清掃シート
１８  管状柄部
１８Ａ  グリップ部（貯液タンク）
１９  管継手
２２  清掃シート加湿用ノズル
２３  液体流路
２４  液体供給手段
【図１】
2004329586.tif 000003
【図２】
2004329586.tif 000004
【図３】
2004329586.tif 000005
【図４】
2004329586.tif 000006